(57)【要約】【課題】障害の影響を自動的に除去できる低コストの映像音声信号切替制御装置を提供する。【解決手段】入力映像音声検知手段（図１の３）は、外部回線または局内からの映像音声信号１の異常発生を検出すると割込信号１５を出力する。回線制御手段（図１の６，９，１１，１２）は、映像音声信号を時間軸多重化し光信号に変換して局内の各部へ分配する。出力映像音声検知手段（図１の１３）は、分配先において映像音声信号の異常発生を検出すると割込信号（図１の１７）を出力する。制御手段（図１の１８）は、出力映像音声検知手段からの割込信号があり、かつ入力映像音声検知手段からの割込信号がないときに切替制御信号１６を出力する。迂回手段（図１の４）は、切替制御信号が入力すると、映像音声信号１を時間軸多重化・光信号変換経路と異なる経路（図１の６，８，１０，１１，１２）に迂回させて局内の各部へ分配する。【選択図】        図１
2005033510.tif 000002
【特許請求の範囲】
【請求項１】
テレビ放送局内で使用する映像音声信号を集中して管理・分配するための回線システムにおける映像音声信号切替制御装置において、
外部回線または局内からの映像音声信号の異常発生を検出すると割込信号を出力する前記映像音声信号対応の入力映像音声検知手段と、
前記映像音声信号を時間軸多重化し光信号に変換して局内の各部へ分配する前記映像音声信号対応の回線制御手段と、
前記分配先において映像音声信号の異常発生を検出すると割込信号を出力する出力映像音声検知手段と、
前記出力映像音声検知手段からの割込信号があり、かつ前記入力映像音声検知手段からの割込信号がないときに切替制御信号を出力する制御手段と、
前記切替制御信号が入力すると、前記外部回線または局内からの映像音声信号を前記時間軸多重化・光信号変換経路と異なる経路に迂回させて前記局内の各部へ分配する迂回手段とを備えたことを特徴とする映像音声信号切替制御装置。
【請求項２】
前記迂回手段を複数設けたことを特徴とする請求項１記載の映像音声信号切替制御装置。
【発明の詳細な説明】
【０００１】
【発明の属する技術分野】
本発明は、テレビ放送局内で使用する映像音声信号を集中して管理・分配するための回線システムにおける映像音声信号切替制御装置に関する。
【０００２】
【従来の技術】
テレビ放送局においては、スタジオ、編集室、ＶＴＲ室、マスター室等放送局内で扱う各種の映像音声信号や、ＮＴＴ回線、リモート回線等放送局外から入力してくる各種の映像音声信号は、必要な各部門へ回線システムによって分配される。このような回線システムで障害が発生した場合、可及的速やかに復帰することが望まれる。
【０００３】
図３は、従来のこの種の回線システムを示すブロック図である。この回線システム（文献発明でない）は、入力部２０からの各種の映像音声信号をジャック２１を介して映像音声マトリックススイッチャー２２へ導き、映像音声マトリックススイッチャー２２からはジャック２３を介して出力部２４へ導いている。そして、映像音声マトリックススイッチャー２２で障害が発生すると、操作者が入力部２０のジャック２１と出力部２４のジャック２３をジャンパーすることにより障害の影響を回避するようにしている。
【０００４】
また、映像信号送出装置で故障が発生した時に、映像、音声の信号入力経路を他の映像信号送出装置に自動的に切り替え、人手の削減と復帰のスピードアップを可能とする映像自動送出システムが特許公報に開示されている（例えば特許文献１参照）。
【０００５】
【特許文献】
特開平６−９８２０７号公報（第１−６頁、図１）
【０００６】
【発明が解決しようとする課題】
しかし、上述した従来技術では、映像信号送出装置を二重化する必要があるため、コストが嵩むという問題点がある。
【０００７】
本発明の目的は、障害の影響を自動的に除去できる低コストの映像音声信号切替制御装置を提供することにある。
【０００８】
【課題を解決するための手段】
本発明の映像音声信号切替制御装置は、テレビ放送局内で使用する映像音声信号を集中して管理・分配するための回線システムにおける映像音声信号切替制御装置において、外部回線または局内からの映像音声信号（図１の１）の異常発生を検出すると割込信号（図１の１５）を出力する映像音声信号対応の入力映像音声検知手段（図１の３）と、映像音声信号を時間軸多重化し光信号に変換して局内の各部へ分配する映像音声信号対応の回線制御手段（図１の６，９，１１，１２）と、分配先において映像音声信号の異常発生を検出すると割込信号（図１の１７）を出力する出力映像音声検知手段（図１の１３）と、出力映像音声検知手段からの割込信号があり、かつ入力映像音声検知手段からの割込信号がないときに切替制御信号（図１の１６）を出力する制御手段（図１の１８）と、切替制御信号が入力すると、外部回線または局内からの映像音声信号を時間軸多重化・光信号変換経路と異なる経路（図１の６，８，１０，１１，１２）に迂回させて局内の各部へ分配する迂回手段（図１の４）とを備えたことを特徴とする。
【０００９】
【発明の実施の形態】
本発明の映像音声信号切替制御装置は、テレビ放送局内で使用する映像音声信号を集中して管理・分配するための回線システムにおける映像音声信号切替制御装置において、外部回線または局内からの映像音声信号の異常発生を検出すると割込信号を出力する映像音声信号対応の入力映像音声検知手段と、映像音声信号を時間軸多重化し光信号に変換して局内の各部へ分配する映像音声信号対応の回線制御手段と、分配先において映像音声信号の異常発生を検出すると割込信号を出力する出力映像音声検知手段と、出力映像音声検知手段からの割込信号があり、かつ入力映像音声検知手段からの割込信号がないときに切替制御信号を出力する制御手段と、切替制御信号が入力すると、外部回線または局内からの映像音声信号を時間軸多重化・光信号変換経路と異なる経路に迂回させて局内の各部へ分配する少なくとも一つの迂回手段とを備えたものである。
【００１０】
【実施例】
図１は本発明の映像音声信号切替制御装置の一実施例を示すブロック図である。この映像音声信号切替制御装置は、ＮＴＴ回線，マイクロ回線，衛星回線等の外部回線や放送局内からの映像音声信号１を光信号に変換して、放送局内の各部門へ分配するにあたり、通常の分配ルートに障害が発生した場合に、映像音声信号１を迂回させて、障害の影響を自動的かつ速やかに除去するものである。
【００１１】
図１において、切替スイッチ２は、通常は外部回線や放送局内からの映像音声信号１を映像音声検知器３へ出力しているが、切替信号１９が有効化されると迂回スイッチ４へ導くように機能する。映像音声検知器３は、映像音声信号１に異常がないときは映像音声信号５として入力調整器６へ出力し、映像音声信号１に異常があるときは割込信号１５を制御コンピュータ１８へ出力する。
【００１２】
迂回スイッチ４は、制御コンピュータ１８からの切替制御信号１６が有効化されると切替信号１９を切替スイッチ２へ出力し、切替スイッチ２からの映像音声信号１を入力調整器６へ出力する。
【００１３】
入力調整器６は映像音声検知器３，迂回スイッチ４からの映像音声信号５に対して入力レベルの調整を行う。時間軸多重変換器７は映像音声検知器３からの映像音声信号５に対して、時間軸多重変換器８は迂回スイッチ４からの映像音声信号に対して、それぞれ時間軸多重変換を行う。
【００１４】
光変換器９は時間軸多重変換器７、光変換器１０は時間軸多重変換器８に対応し、それぞれ時間軸多重変換後の映像音声信号を光信号に変換する。スターカプラ１１は、光変換器９または光変換器１０で光変換された光信号に対して波長多重を行う。光アンプ１２は、スターカプラ１１から取り出した光信号を増幅して、放送局内の各部門へ分配する。
【００１５】
分配先の各部門では、多重化されている映像音声信号の中から必要とする信号を取り出す装置が必要とされる。映像音声検知器１３は、そのような装置に設けられ、映像音声信号１４を出力するとともに、異常を検出したときは制御コンピュータ１８へ割込信号１７を出力する。
【００１６】
制御コンピュータ１８は、映像音声検知器３からの割込信号１５および映像音声検知器１３からの割込信号１７に応答して、迂回スイッチ４へ切替制御信号１６を出力する。すなわち、割込信号１７があり、かつ割込信号１５がないときは、映像音声検知器３，入力調整器６，時間軸多重変換器７，光変喚器９，スターカプラ１１および光アンプ１２から成る回線系統内で障害が発生したものと判断されるから、迂回スイッチ４が使用中でなければ切替制御信号１６によって、映像音声信号１を迂回スイッチ４経由で出力するようにするのである。迂回スイッチ４の使用状況は、迂回スイッチテーブルにより制御コンピュータ１８が把握できるようになっている。
【００１７】
図２は、制御コンピュータ１８の上記制御のフローチャートである。例えば、いま、ＮＴＴ回線からの映像音声信号１を分配しようとしているのもとする。
【００１８】
出力映像音声検知器である映像音声検知器１３からの割込信号１７がなく（図２のステップＳ１でＮｏ）、かつ入力映像音声検知器である映像音声検知器３からの割込信号１５もないときは（ステップＳ２でＮｏ）、本映像音声信号切替制御装置は正常に動作していることになるので、制御コンピュータ１８が切替制御信号１６を出力することはない。
【００１９】
割込信号１７がなく（ステップＳ１でＮｏ）、かつ割込信号１５があるときは（ステップＳ２でＹｅｓ）、入力してくる映像音声信号１に異常があるとみなされるので、制御コンピュータ１８が切替制御信号１６を出力することはない。
【００２０】
割込信号１７があり（ステップＳ１でＹｅｓ）、かつ割込信号１５ばないときは（ステップＳ３でＮｏ）、入力してくる映像音声信号１に異常がないにも関わらず出力側から異常を通知してくることになるため、上述のように、回線系統内で障害が発生したものと判断して（ステップＳ４）、迂回スイッチ４が使用中でないことを確認の上で（ステップＳ５）、切替制御信号１６を出力することにより、入力映像音声信号を自動的に切り替える（ステップＳ６）。
【００２１】
なお、割込信号１７があり（ステップＳ１でＹｅｓ）、かつ割込信号１５もあるときは（ステップＳ３でＹｅｓ）、入力してくる映像音声信号１の異常か、回線系統内の障害かを判定できず、切替制御信号１６を出力することはない。
【００２２】
なお、図１に示した実施例では迂回スイッチ４を１つだけ設けているが、これを複数設ければ、迂回が必要な場合に迂回スイッチが使用中であることにより迂回することができないという事態を回避できる確率を高めることができる。
【００２３】
【発明の効果】
本発明によれば、複数の映像音声信号に対応できる迂回手段を設けたので、二重化装置に比べて格段に低コストの映像音声信号切替制御装置を提供することができる。
【００２４】
そして、映像音声信号に異常があるときはコンピュータへ割込信号を発生させ、割込信号によって回線系統内での障害発生とコンピュータが判断した場合には切替信号を発生して、入力映像音声信号を通常経路と異なる経路に迂回させるようにしたため、障害の影響を自動的に除去することができる。
【図面の簡単な説明】
【図１】本発明の映像音声信号切替制御装置の一実施例を示すブロック図
【図２】図１に示した実施例における制御コンピュータ１８のフローチャート
【図３】従来の回線システムを示すブロック図
【符号の説明】
１，５，１４    映像音声信号
２              切替スイッチ
３，１３        映像音声検知器
４              迂回スイッチ
６              入力調整器
７，８          時間軸多重変換器
９，１０        光変換器
１１            スターカプラ
１２            光アンプ
１５，１７      割込信号
１６            切替制御信号
１８            制御コンピュータ
１９            切替信号
【図１】
2005033510.tif 000003
【図２】
2005033510.tif 000004
【図３】
2005033510.tif 000005